(57)【要約】【課題】ベッド状態とソファー状態に変態可能に構成したベッドにおいて、ベッドの高さを低く構成することを可能とするために、脚受ボトムを腰受ボトムの下方に収納する際に作動する部材における最下点の高さを一定に保ったまま脚受ボトムを収納することができる収納機構を具備したベッドを提供すること。【解決手段】基台フレームに対する摺動フレームの前方への摺動により脚受ボトムを腰受ボトムの下方に収納させる収納機構に、摺動フレームに対して前後摺動可能となるように該摺動フレームに第二摺動フレームを配設し、この第二摺動フレームが摺動フレームに対して前方へ摺動することで、脚受ボトムを摺動フレームと第二摺動フレームとの間に移動させ、脚受ボトムを腰受ボトムの下方へ収納可能とした。【選択図】図１
2005204971.tif 000002
【特許請求の範囲】
【請求項１】
少なくとも背受ボトムと腰受ボトムと脚受ボトムを具備し、前記背受ボトムは基台フレームに対して前後摺動する摺動フレームの前後摺動動作により作動する起伏機構によって支持され、前記腰受ボトムは前記摺動フレームに支持され、前記脚受ボトムは前記摺動フレームの前後摺動動作により作動する収納機構によって支持され、前記背受ボトムと腰受ボトムと脚受ボトムが略々同一平面を形成するベッド状態から背受ボトムが起立した際に、腰受ボトムが前方へ移動するとともに、脚受ボトムを腰受ボトムの下方へ収納することによりソファー状態に変態可能に構成したベッドにおいて、前記脚受ボトムを腰受ボトムの下方へ収納させる際に、前記摺動フレームに対して前後摺動可能となるように該摺動フレームに配設された第二摺動フレームが摺動フレームに対して前方へ摺動することにより、脚受ボトムを摺動フレームと第二摺動フレームとの間に移動させて、脚受ボトムを腰受ボトムの下方へ収納可能とした収納機構を具備したことを特徴とするベッド。
【請求項２】
上記ベッドの収納機構において、第二摺動フレームを摺動フレームに対して前後摺動可能とする摺動リンクを具備したことを特徴とする請求項１に記載のベッド。
【請求項３】
上記ベッドの収納機構において、第二摺動フレームが摺動フレームに対して前方へ摺動することにより、脚受ボトムを前記摺動フレームと第二摺動フレームとの間に収まる高さへ水平な状態で移動させる平行リンクを具備したことを特徴とする請求項１及び請求項２に記載のベッド。
【発明の詳細な説明】
【技術分野】
【０００１】
本発明は、ベッド状態とソファー状態とに変態可能なベッドに関するものである。
【背景技術】
【０００２】
従来の技術では、ベッドの床部を少なくとも背部支持枠と腰部支持枠と脚部支持枠とに分割し、前記背部支持枠は起伏回動自在に後端側をベッド本体に枢着して適宜背上げ可能に設け、一方前記脚部支持枠は腰部支持枠の下部に当該脚部支持枠を移動可能な収納機構により支持され、ベッド状態とソファー状態に変態可能なベッドがある。このベッドの収納機構は、スライド枠を斜め下方にスライド移動させることで、脚部支持枠を腰部支持枠の下方に収納する構成となっている。
【０００３】
この技術によると、脚部支持枠を収納させる際に、スライド枠を斜め下方向へ腰部支持枠の下方までスライド移動させるため、収納機構の構成部材の最下点が低くなる方向に変化する。すなわち、ベッド状態における収納機構の構成部材の最下点よりも低くなる方向にも、収納機構の構成部材を移動させるため、腰部支持枠下方の収納機構の構成部材を移動させるために必要なスペースが大きくなる。したがって、ベッドの高さを高くしておく必要がある。これによると、体格の小さな利用者によっては、ソファー状態に変態させた際に、垂下させた足がベッドの設置面に届かない場合があり、その状態から立ち上がる際に、立ち上がり動作がとりにくいこともある。
【特許文献１】特開平９−３１３５４６号公報
【発明の開示】
【発明が解決しようとする課題】
【０００４】
そこで、本発明は上記事情を鑑み、ベッドの高さを低く構成することを可能とするために、脚受ボトムを腰受ボトムの下方に収納する際に作動する部材における最下点の高さを一定に保ったまま脚受ボトムを収納することができる収納機構を具備したベッドを提供することを課題とする。
【課題を解決するための手段】
【０００５】
請求項１の発明は、少なくとも背受ボトムと腰受ボトムと脚受ボトムを具備し、前記背受ボトムは基台フレームに対して前後摺動する摺動フレームの前後摺動動作により作動する起伏機構によって支持され、前記腰受ボトムは前記摺動フレームに支持され、前記脚受ボトムは前記摺動フレームの前後摺動動作により作動する収納機構によって支持され、前記背受ボトムと腰受ボトムと脚受ボトムが略々同一平面を形成するベッド状態から背受ボトムが起立した際に、腰受ボトムが前方へ移動するとともに、脚受ボトムを腰受ボトムの下方へ収納することによりソファー状態に変態可能に構成したベッドにおいて、前記脚受ボトムを腰受ボトムの下方へ収納させる際に、前記摺動フレームに対して前後摺動可能となるように摺動フレームに配設された第二摺動フレームが摺動フレームに対して前方へ摺動することにより、脚受ボトムを摺動フレームと第二摺動フレームとの間に移動させて、脚受ボトムを腰受ボトムの下方へ収納可能とした前記収納機構を具備したことを特徴とする。
請求項２の発明は、上記ベッドの収納機構において、第二摺動フレームを摺動フレームに対して前後摺動可能とする摺動リンクを具備したことを特徴とする。
請求項３の発明は、上記ベッドの収納機構において、第二摺動フレームが摺動フレームに対して前方へ摺動することにより、脚受ボトムを前記摺動フレームと第二摺動フレームとの間に収まる高さへ水平な状態で移動させる平行リンクを具備したことを特徴とする。
【発明の効果】
【０００６】
したがって、請求項１の発明によれば、脚受ボトムを腰受ボトムの下方へ収納させる際に、摺動フレームに対して前後摺動可能となるように摺動フレームに第二摺動フレームを配設した。そして、該第二摺動フレームが摺動フレームに対して前方へ摺動することにより、脚受ボトムを摺動フレームと第二摺動フレームとの間に移動させて、脚受ボトムを腰受ボトムの下方へ収納可能とした。すなわち、脚受ボトムを腰受ボトムの下方へ収納させる際に作動する収納機構を構成する部材の最下点の高さを一定に保ったまま、収納機構を作動させるようにしている。これによると、収納機構の下方に余分な上下方向のスペースを設けておく必要がなく、ベッドの高さを低く設定することができるようになる。また、利用者の体格に合わせて、ベッドの高さを設定することができるようになる。
また、請求項２の発明によれば、第二摺動フレームを摺動フレームに対して前後摺動可能とする摺動リンクを具備した。この摺動リンクよると、第二摺動フレームの移動量を摺動フレームの移動量より大きくすることができるようになる。また、摺動フレームの駆動力のみで第二摺動フレームも動作させることができるようになり、摺動フレームに駆動力を伝える駆動手段一つでベッドを動作させることができる。よって、安価なベッドを構成することができるようになる。
さらに、請求項３の発明によれば、第二摺動フレームが摺動フレームに対して前方へ摺動することにより、脚受ボトムを前記摺動フレームと第二摺動フレームとの間に収まる高さへ水平な状態で移動させる平行リンクを具備した。この平行リンクによると、摺動フレームと第二摺動フレームとの間に設ける空間を少なくすることができるようになる。
【発明を実施するための最良の形態】
【０００７】
本発明にかかるベッドは、第１図に示すように、ベッド状態とソファー状態に変態可能に構成したベッドである。このベッドの基台フレームに対する摺動フレームの前方への摺動により脚受ボトムを腰受ボトム下方に収納させる収納機構に、摺動フレームに対して前後摺動可能となるよう該摺動フレームに第二摺動フレームを配設した。そして、この第二摺動フレームが摺動フレームに対して前方へ摺動することで、脚受ボトムを摺動フレームと第二摺動フレームとの間に移動させて、脚受ボトムを腰受ボトムの下方へ収納可能とした。すなわち、脚受ボトムを腰受ボトムの下方に移動させる際に作動する収納機構を構成する部材の最下点の高さを一定に保ったまま、収納機構を作動させるようにしている。
【０００８】
したがって、収納機構の下方に余分な上下方向のスペースを設けておく必要がなく、ベッドの高さを低く設定することができるようになる。よって、体格の小さい利用者でも、ソファー状態に変態させた際に、垂下させた足がベッドの設置面に届くようにでき、様々な体格の利用者がこのベッドを安心して使用できるようになる。また、ベッドに腰掛けている状態から立ち上がる際に、利用者が立ち上がり動作をとり易くなる。さらに、利用者の体格に合わせて、ベッドの高さを設定できるようになる。
【実施例１】
【０００９】
本発明にかかるベッドの一実施形態を図面に基づいて説明する。なお、ベッドに仰臥した利用者の頭側を前、足側を後として、前後左右とする。
このベッド１は、基台フレーム２と、該基台フレーム２に前後摺動可能に配設される摺動フレーム３と、該摺動フレーム３を摺動させる駆動手段４と、摺動フレーム３に配設される腰受ボトム５と、該腰受ボトム５に隣接するように配設される背受ボトム６及び脚受ボトム７から主に構成されている。また、このベッド１には、前記摺動フレーム３の前後摺動により前記背受ボトム６を起伏させる起伏機構８と、前記摺動フレーム３の前後摺動により前記脚受ボトム７を腰受ボトム５下方に収納させる収納機構９が具備されている。
【００１０】
まず、第２図に基づいて、基台フレーム２について説明する。
２ａ，２ａは左右一対の背面視において略々コ字状のレール桁である。このレール桁２ａ，２ａは開口面が互いに向き合うように配設されるとともに、レール桁２ａ，２ａの前部と後部の下面には支柱パイプ２ｂ，２ｂ，・・・がそれぞれ固着されている。また、前側の支柱パイプ２ｂ，２ｂの下端には接地部材２ｃ，２ｃが固着され、後側の支柱パイプ２ｂ，２ｂの下端にも接地部材２ｄ，２ｄが固着されている。さらに、前側の支柱パイプ２ｂ，２ｂ間を連結する連結桁２ｅ，２ｆが支柱パイプ２ｂ，２ｂの上部と下部にそれぞれ固着されている。
１０は連結パイプである。この連結パイプ１０の両端部には背面視において略々Ｌ字状の取付具１０ａ，１０ａが固着されている。そして、この取付具１０ａ，１０ａを前記レール桁２ａ，２ａの後部に固着させることで、連結パイプ１０はレール桁２ａ，２ａ間に配設されている。なお、前記取付具１０ａ，１０ａは連結パイプ１０と後述する摺動フレーム３の干渉を防止するための部材である。
【００１１】
１１は平面視において略々Ｌ字状のＬ字孔１１ａが後部に穿たれている案内プレートである。この案内プレート１１は固定パイプ１２を介して前記連結桁２ｆの上面に固着されている。
また、１３は前記連結桁２ｅの略々中央部に固着された後述する駆動手段４の取付部材である。さらに、後述する起伏機構８の取付部材１４，１４が前記連結桁２ｆの適所に固着されている。
このように構成された基台フレーム２は、同一平面を形成する状態における腰受ボトム５と背受ボトム６及び脚受ボトム７の前後方向の長さより小さく構成されており、各ボトムを安定よく支持するために、基台フレーム２後部側の接地部材２ｄ，２ｄは後方側へ大きく突出させた構成としている。
【００１２】
次に、第３図及び第５図に基づいて、前記基台フレーム２に前後摺動可能に配設される摺動フレーム３について説明する。
３ａ，３ａは左右一対の主桁である。この主桁３ａ，３ａの中間部間には横桁３ｂが固着されている。また、主桁３ａ，３ａの前部と略々中間部には車軸１５，１５，・・・の一端側が左右外側方向へ突出するように取付けられ、その突出側には前記基台フレーム２のレール桁２ａ，２ａ内で転動可能なローラー１６，１６，・・・が取付けられている。さらに、主桁３ａ，３ａの前部と後部の下面には吊下プレート３ｃ，３ｃ，・・・がそれぞれ固着され、この吊下プレート３ｃ，３ｃ，・・・の下部内面には左右一対の背面視において略々コ字状のレール３ｄ，３ｄが固着されている。なお、レール３ｄ，３ｄは開口面が互いに向き合うように配設されている。また、前記主桁３ａ，３ａの後部下面には補強パイプ３ｅが固着されている。
【００１３】
３ｆは上下方向の軸心を持つボス３ｇが適所に固着された連結桁である。この連結桁３ｆの両端には連結板３ｈ，３ｈが固着され、該連結板３ｈ，３ｈは前記レール３ｄ，３ｄの略々中間部外側面に固着されている。
また、１７，１７は前記補強パイプ３ｅの適所に固着されたアームであり、前部には後述する起伏機構８の取付部となる左右方向の空孔部１７ａ，１７ａが穿たれている。そして、１８，１８は前記横桁３ｂの適所に固着された後述する腰受ボトム５の取付部材であり、１９，１９は前記横桁３ｂと前記補強パイプ３ｅの間に固着されたプレートである。さらに、後述する駆動手段４の取付部材２０が前記補強パイプ３ｅの略々中央部に固着されている。
【００１４】
このように構成された摺動フレーム３を、基台フレーム２に対して前後摺動させる駆動手段４としてアクチュエーター２１を用いている。このアクチュエーター２１は、その一端側が基台フレーム２の取付部材１３にピン材２２にて固定され、他端側は摺動フレーム３の取付部材２０にピン材２３にて固定されている。このように、基台フレーム２と摺動フレーム３との間に駆動手段４を配設することによって、駆動手段４であるアクチュエーター２１の伸縮により、適宜摺動フレーム３が前後に摺動するように構成されている。
なお、本実施例においては駆動手段４として伸縮可能なアクチュエーター２１を用いているが、例えばネジと螺合体により相対的に前後に移動する構成としても良く、本実施例に限定するものではなく、摺動フレーム３が基台フレーム２に対して前後に摺動可能となるものであれば何ら問題はない。
また、本実施例においては前記駆動手段４の制御装置を図示してはいないが、基台フレーム２に対して摺動フレーム３を任意の位置で作動及び停止できるように構成されているものである。
【００１５】
次に、第４図に基づいて、前記摺動フレーム３に配設される腰受ボトム５について説明する。
５ａはパイプを曲折した平面視において略々Ｃ字状の枠体である。この枠体５ａ内部には前部が枠体５ａより前方へ突出するように補強部材５ｂ，５ｂがそれぞれ固着され、該補強部材５ｂ，５ｂの前端部には左右方向の軸心を持つボス５ｃ，５ｃがそれぞれ固着されている。また、補強部材５ｂ，５ｂの前部間には横パイプ５ｄが固着され、前記枠体５ａの前部と補強部材５ｂ，５ｂの左右外側にはプレート５ｅ，５ｅが固着されている。さらに、前記横パイプ５ｄと枠体５ａとの間には腰受ボトム５を揺動させるための側面視において略々台形状の揺動プレート５ｆが固着された補強部材５ｇが固着されている。
なお、図示していないが、腰受ボトム５の内部にはマット部材の受けとして機能するステーが複数本固着されている。
【００１６】
このように構成された腰受ボトム５は、腰受ボトム５のボス５ｃ，５ｃと前記摺動フレーム３の取付部材１８，１８とをピン材２４，２４にて連結させることで揺動可能に摺動フレーム３に配設されている。また、腰受ボトム５が水平状態においては、前記ピン材２４，２４と基部フレーム２の連結パイプ１０により支持されるようになっている。
【００１７】
次に、第４図に基づいて、前記腰受ボトム５に隣接するように配設される背受ボトム６について説明する。
６ａはパイプを曲折した平面視において略々矩形状の枠体である。該枠体６ａの内部には補強部材６ｂ，６ｂがそれぞれ固着されている。また、２５，２５は前記枠体６ａ後部の適所にそれぞれ固着された後述する起伏機構８の取付部となる第一ブラケットである。さらに、前記補強部材６ｂ，６ｂの適所に後述する起伏機構８の取付部となる第二ブラケット２６，２６がそれぞれ固着されて、背受ボトム６は構成されている。
なお、図示してはいないが、背受ボトム６の内部にはマット部材の受けとして機能するステーが複数本固着されている。
【００１８】
次に、第４図に基づいて、前記摺動フレーム３の前後摺動により背受ボトム６を起伏させる起伏機構８について説明する。
２７，２７は側面視において略々三角形状をした第一杆体である。この第一杆体２７，２７の中部に位置する頂点近傍と前記摺動フレーム３のアーム１７，１７の空孔部１７ａ，１７ａが軸材２８，２８にて、該第一杆体２７，２７がアーム１７，１７内側に配設されるように枢結されている。また、この第一杆体２７，２７の上部に位置する頂点近傍と前記背受ボトム６の第一ブラケット２５，２５が軸材２９，２９にて枢結されている。
３０，３０は第二杆体である。この第二杆体３０，３０の前部と前記基台フレーム２の取付部材１４，１４が軸材３１，３１にて枢結され、そして、第二杆体３０，３０の後部と前記背受ボトム６の第二ブラケット２６，２６が軸材３２，３２にて枢結されている。さらに、第二杆体３０，３０の中間部と第三杆体３３，３３の前部が軸材３４，３４にて枢結され、第三杆体３３，３３の後部と前記第一杆体２７，２７の下部に位置する頂点近傍が軸材３５，３５にて枢結されている。そして、前記左右の第一杆体２７，２７が連結パイプ３６にて連結されている。
なお、連結パイプ３６は、背受ボトム６を起伏させる際に、左右それぞれの杆体を均等かつ同期的に作動させ、背受ボトム６が捩れること等を防止するためのものである。
【００１９】
このように構成された起伏機構８は、前記背受ボトム６が水平状態において、背受ボトム６と腰受ボトム５が同一平面を形成するように、かつ両者が隣接するように、背受ボトム６を支持している。
また、前記背受ボトム６と腰受ボトム５に渡って、その上部に背側マット３７が載置されている。
【００２０】
次に、上述のように構成された起伏機構８による背受ボトム６の起伏動作について説明する。
まず、第６図に示すように、腰受ボトム５と背受ボトム６が同一平面を形成する状態にあるとき、駆動手段４であるアクチュエーター２１が最も伸長した状態であり、摺動フレーム３は後端位置に位置している。この状態では前記腰受ボトム５の揺動プレート５ｆが前記基台フレーム２の連結パイプ１０に接していない状態であり、腰受ボトム５は水平状態となっている。また、起伏機構８の第二杆体３０，３０は後方へ回動した状態であり、背受ボトム６を水平に支持している。
次に、第７図及び第８図に示すように、駆動手段４であるアクチュエーター２１を縮めて、摺動フレーム３を前進させると、摺動フレーム３に取付けられた腰受ボトム５も同様に前進する。このとき、腰受ボトム５の揺動プレート５ｆの傾斜部が前記基台フレーム２の連結パイプ１０に接するため、前記ピン材２４，２４を回動中心として腰受ボトム５の後部側が上方回動する。また、これと同時に、起伏機構８の第一杆体２７，２７が摺動フレーム３とともに前進するので、第二杆体３０，３０の回動中心である軸材３１，３１と第一杆体２７，２７の回動中心である軸材２８，２８との間の間隔が徐々に狭くなる。そのため、第二杆体３０，３０は上方回動するとともに、第三杆体３３，３３が第一杆体２７，２７を時計回りに回動させる。このように作用する起伏機構８に取付けられた背受ボトム６は、腰受ボトム５の回動中心であるピン材２４，２４から徐々に離間するように押し上げられながら起立するように作動される。したがって、この起伏機構８は、背受ボトム６の起立時における使用者の腰部の曲折位置と背受ボトム６の見かけ上の回動中心が略々一致した状態となって、使用者と背側マット３７との間に違和感が出ないように、背受ボトム６を起立させるように構成されたものとなっている。
そして、第９図に示すように、駆動手段４であるアクチュエーター２１をさらに縮めて最も縮んだ状態とすると、前記基台フレーム２の補強パイプ１０と腰受ボトム５の揺動プレート５ｆの傾斜部との接触がとけ、腰受ボトム５は水平状態に戻る。また、背受ボトム６は起立状態で保持され、側面視においてソファー状態となっている。
なお、駆動手段４であるアクチュエーター２１を伸長すると、上述とは逆の手順となって、元の腰受ボトム５と背受ボトム６が同一平面を形成する状態に復帰する。
【００２１】
次に、第５図に基づいて、前記腰受ボトム５に隣接するように配設される脚受ボトム７について説明する。
７ａはパイプを曲折した平面視において略々コ字状の枠体である。この枠体７ａの後部間には横パイプ７ｂが固着されている。また、前記枠体７ａの両側部には左右方向の空孔部７ｃ，７ｃ，・・・がそれぞれ穿たれて、脚受ボトム７は構成されている。
なお、図示してはいないが、脚受ボトム７の内部にはマット部材の受けとして機能するステーが複数本固着されている。また、脚受ボトム７の上部には脚受マット３８が載置されている。
【００２２】
次に、第５図に基づいて、前記摺動フレーム３の前後摺動により脚受ボトム７を腰受ボトム５下方に収納させる収納機構９について説明する。
この収納機構９は、前記摺動フレーム３に対して前後摺動可能な第二摺動フレーム３９と、該第二摺動フレーム３９と前記脚受ボトム７との間に構成される平行リンク４０，４０と、前記摺動フレーム３に対して第二摺動フレーム３９を前後摺動させるための摺動リンク４１から、主に構成されている。
【００２３】
まず、第二摺動フレーム３９について詳述すると、第二摺動フレーム３９は、左右一対の主桁３９ａ，３９ａと該主桁３９ａ，３９ａの前部と後部にそれぞれ固着された横桁３９ｂ，３９ｃにより平面視において略々矩形状に構成されている。また、主桁３９ａ，３９ａの前部と略々中間部には車軸４２，４２，・・・が左右方向外側へ突出するように固着され、該車軸４２，４２，・・・の突出側には前記摺動フレーム３のレール３ｄ，３ｄ内で転動可能なローラー４３，４３，・・・が取付けられている。さらに、主桁３９ａ，３９ａの後部と略々中間部の下面には軸材３９ｄ，３９ｄ，・・・が左右方向内側へ突出するようにそれぞれ固着されている。なお、該軸材３９ｄ，３９ｄ，・・・の前後間隔は前記脚受ボトム７に穿たれた空孔部７ｃ，７ｃ，・・・の前後間隔と等しくしている。また、後側の横桁３９ｃの中央部には後述する摺動リンク４１の取付部材３９ｅが固着されている。
次に、前記第二摺動フレーム３９と脚受ボトム７との間に形成される平行リンク４０，４０について詳述すると、この平行リンク４０，４０は、前記第二摺動フレーム３９の後側の軸材３９ｄ，３９ｄに下部を枢結した後杆体４４，４４の上部と前記脚受ボトム７の後側の空孔部７ｃ，７ｃが軸材４５，４５にて枢結されるとともに、前記第二摺動フレーム３９の前側の軸材３９ｄ，３９ｄに下部を枢結した前杆体４６，４６の上部と前記脚受ボトム７の前側の空孔部７ｃ，７ｃが軸材４７，４７にて枢結されて構成されている。また、前記前杆体４６，４６間には連結パイプ４８が固着されている。この連結パイプ４８は左右のそれぞれの杆体を同期的かつ均等に作動させるためのものである。
【００２４】
そして、前記摺動フレーム３に対して第二摺動フレーム３９を前後摺動させるための摺動リンク４１について詳述する。まず、前記第二摺動フレーム３９の取付部材３９ｅと第一杆体４９の後部が軸材５０にて枢結され、該第一杆体４９の前部と第二杆体５１の後部が軸材５２にて枢結されている。また、第二杆体５１のやや前方よりと前記摺動フレーム３のボス３ｇが軸材５３にて枢結されている。さらに、第二杆体５１の前部には摺動軸５４が取付けられ、この摺動軸５４が前記基台フレーム２の案内プレート１１のＬ字孔１１ａ内を摺動するように構成されている。この摺動リンク４１は平面視において第一杆体４９と第二杆体５１とが略々逆ヘ字を形成するように構成されている。
また、収納機構９には前記平行リンク４０，４０の作動を規制する規制具５５が具備されている。この規制具５５は側面視において略々凹字状の凹プレート５５ａ，５５ａの前側上突部に前記第二摺動フレーム３９の主桁３９ａ，３９ａと前記摺動フレーム３の補強パイプ３ｅとに接当可能なローラー５５ｂ，５５ｂが軸支され、後側上突部間には前記脚受ボトム７の横パイプ７ｂを支持可能な支持部材５５ｃが固着された連結パイプ５５ｄが固着されて、構成されている。この規制具５５は、凹プレート５５ａ，５５ａの後下部が前記第二摺動フレーム３９の主桁３９ａ，３９ａ前部に軸材５６，５６にて枢結されている。
【００２５】
次に、上述のように構成された収納機構９による脚受ボトム７の収納動作について説明する。
まず、第６図に示すように、脚受ボトム７と腰受ボトム５が同一平面を形成する状態にあるときは、駆動手段４であるアクチュエーター２１が最も伸長した状態であり、前記摺動フレーム３は後端位置に位置されるとともに、収納機構９の第二摺動フレーム３９も後端位置に位置されている。また、収納機構９の規制具５５のローラー５５ｂ，５５ｂが前記摺動フレーム３の補強パイプ３ｅと第二摺動フレーム３９の主桁３９ａ，３９ａとの間に接当した状態にあり、規制具５５の支持部材５５ｃが脚受ボトム７と腰受ボトム５とが同一平面を形成する状態かつ脚受ボトム７が水平な状態で平行リンク４０，４０の作動を規制している。
次に、第７図に示すように、駆動手段４であるアクチュエーター２１を縮め、摺動フレーム３を前進させる。すると、収納機構９の摺動リンク４１の摺動軸５４が前記基台フレーム２の案内プレート１１に穿たれているＬ字孔１１ａの前後方向の孔部に沿って摺動され、摺動リンク４１の第一杆体４９と第二杆体５１が平面視において略々逆へ字の状態を保ったまま、第二摺動フレーム３９を前進させる。すなわち、第二摺動フレーム３９は前記摺動フレーム３に対して動くことなく、両者が一体となって前進される。したがって、規制具５５のローラー５５ｂ，５５ｂが前記摺動フレーム３の補強パイプ３ｅと第二摺動フレーム３９の主桁３９ａ，３９ａとの間に接当した状態を保ったままで収納機構９全体が前進するようになり、平行リンク４０，４０が作動されることなく、脚受ボトム７は駆動手段４であるアクチュエーター２１が縮んだ分だけ、前方へスライドするように移動される。
【００２６】
さらに、第８図に示すように、駆動手段４であるアクチュエーター２１をさらに縮め、摺動フレーム３をさらに前方へ前進させる。すると、摺動リンク４１の摺動軸５４が前記基台フレーム２の案内プレート１１に穿たれているＬ字孔１１ａの左右方向の孔部に沿って摺動されるようになり、摺動リンク４１の軸材５３と摺動軸５４との前後の位置関係が入れ替わるように作動される。これにより、摺動リンク４１の第一杆体４９と第二杆体５１が平面視において略々逆へ字の状態から略々Ｖ字の状態になるように作動されて、第二摺動フレーム３９は摺動フレーム３に対して前進される。すなわち、第二摺動フレーム３９が摺動フレーム３のレール３ｄ，３ｄに沿って前進し、第二摺動フレーム３９が摺動フレーム３の下部へ移動していく。この動きに伴って、規制具５５が軸材５６，５６を中心に該規制具５５のローラー５５ｂ，５５ｂが摺動フレーム３のプレート１９，１９に接当するまで半時計回りに回動され、規制具５５のローラー５５ｂ，５５ｂが摺動フレーム３のプレート１９，１９の下面に接当して転動するようになる。また、このとき、規制具５５の回動により脚受ボトム７を支持している規制具５５の支持部材５５ｃも下方へ回動され、それに連れて平行リンク４０，４０が作動し、脚受ボトム７を水平な状態を保ったまま時計回りに、少なくとも前記基台フレーム２の連結パイプ１０に脚側マット３８が接触しない高さまで回動させる。したがって、脚受ボトム７は前方へ移動されるとともに下方へも移動される。
そして、第９図に示すように、駆動手段４であるアクチュエーター２１をさらに縮めて最も縮んだ状態とすると、摺動フレーム３は前端位置に位置する。このとき、摺動リンク４１の軸材５３と摺動軸５４の前後の位置関係が入れ替わって、第一杆体４９と第二杆体５１が平面視において略々Ｖ字の状態となっており、第二摺動フレーム３９は摺動フレーム３の下部に収納された状態となっている。また、規制具５５のローラー５５ｂ，５５ｂは摺動フレーム３のプレート１９，１９から外れた状態となっており、規制具５５の連結パイプ５５ｄが第二摺動フレーム３９の主桁３９ａ，３９ａに接当するまで規制具５５は半時計回りにさらに回動し、これに伴って、脚受ボトム７は水平な状態に保たれたまま時計回りに、少なくとも摺動フレーム３の補強パイプ３ｅと第二摺動フレーム３９の間に脚側マット３８が収まる高さまで平行リンク４０，４０によりさらに回動されている。すなわち、脚受ボトム７はさらに前下方へ移動され、脚受ボトム７は腰受ボトム５の下方に収納された状態となっている。
なお、駆動手段４であるアクチュエーター２１を伸長すると、上述とは逆の手順となって、元の脚受ボトム７と腰受ボトム５が同一平面を形成する状態に復帰する。
また、この収納機構９は摺動フレーム３が前後摺動することで作動する構成となっており、収納機構９の作動とともに、起伏機構８の作動と腰受ボトム５の揺動及び移動も行われ、駆動手段４であるアクチュエーター２１を伸縮させるだけの簡便な操作で、ベッド状態とソファー状態とに変態可能なベッド１となっている。
【００２７】
このように構成された収納機構９によると、摺動フレーム３に対して第二摺動フレーム３９を前方へ移動させることで、平行リンク４０を作動させて脚受ボトム７を摺動フレーム３と第二摺動フレーム３９の間に収まる高さに移動させるとともに、第二摺動フレーム３９を摺動フレーム３の下部に移動させて、脚受ボトム７を腰受ボトム５下方に収納させるようにしている。すなわち、この収納機構９によると、脚受ボトム７の一連の収納動作において、収納機構９を構成する部材の最下点の高さを一定に保ったまま収納機構９を作動させることができる。したがって、収納機構９の下方に余分な上下方向のスペースを設けておく必要がなく、ベッド１の高さを低く設定することができるようになる。よって、体格の小さい利用者でも、ソファー状態に変態させた際に、垂下させた足がベッド１の設置面に届くようにでき、様々な体格の利用者がこのベッド１を安心して使用できるようになる。また、ベッド１に腰掛けている状態から立ち上がる際に、利用者が立ち上がり動作をとり易くなる。さらに、利用者の体格に合わせて、ベッド１の高さを設定することができるようになる。
また、摺納機構９に摺動リンク４１を具備させたことで、前記駆動手段４一つで第二摺動フレーム３９も動作させることが可能にされており、駆動手段４一つでベッド１を動作させることができる。したがって、安価なベッド１を構成することができる。
【００２８】
なお、本実施例では、第二摺動フレーム３９の移動量を摺動フレーム３の移動量より大きくするために、前記摺動リンク４１を用いているが、例えば、前記第一杆体４９と第二杆体５１の間にさらに杆体を配設した構成としても良く、第二摺動フレーム３９の移動量を摺動フレーム３の移動量より大きくできるものであれば何ら問題はない。
また、本実施例では、収納機構９に摺動リンク４１を用いているが、例えば、摺動リンク４１の代わりに摺動フレーム３と第二摺動フレーム３９との間に、摺動フレーム３に対して第二摺動フレーム３９が前後摺動可能となるように駆動手段を配設させる。そして、該駆動手段を前記駆動手段４とは独立して操作できるようにしても良い。また、該駆動手段を前記駆動手段４の作動に応じて作動するようにしても良い。これらの様にしても、収納機構９と同様の作用を得ることができる収納機構を構成することができる。
さらに、本実施例では、基台フレーム２の案内プレート１１にＬ字孔１１ａを設けることで、摺動リンク４１の摺動軸５４がＬ字孔１１ａに沿って前後方向の移動をしている間は、第二摺動フレーム３９と摺動フレーム３を一体として移動させ、摺動軸５４がＬ字孔１１ａに沿って左右方向の移動をするようになると、第二摺動フレーム３９が摺動フレーム３に対して移動するようにされている。すなわち、摺動軸５４が左右方向への移動をすることにより、摺動リンク４１の第二杆体５１が軸材５３を中心に回動し、第二摺動フレーム３９が摺動フレーム３に対して動作する。したがって、案内プレート１１に設ける孔部はＬ字孔１１ａの形状に限ることなく、第二杆体５１が軸材５３を中心に回動可能となるように摺動軸５４が左右方向に移動可能な形状の孔部であれば何ら問題ない。つまり、前後方向に対して斜めに穿たれた孔部でも良い。また、平面視において略々く字状の孔部でも、左右方向に一の字状の孔部でも良い。これらのような孔部によると、Ｌ字孔１１ａと同様に第二摺動フレーム３９を摺動フレーム３に対して動作させることができるとともに、案内プレート１１に設ける孔部の形状を変えるにより、脚受ボトム７を腰受ボトム５下方に収納させるタイミングを変えることができる。
また、本実施例では、平行リンク４０，４０を用いて、脚受ボトム７を第二摺動フレーム３９と摺動フレーム３との間に水平な状態で移動させることで、第二摺動フレーム３９と摺動フレーム３との間に設ける空間を少なくなるようにしているが、例えば、スライダークランク式のリンク機構を用いても良く、脚受ボトム７を他のボトムと同一平面を形成する状態で支持可能かつ脚受ボトム７を第二摺動フレーム３９と摺動フレーム３の間に水平な状態で移動させることができるものであれば何ら問題はない。
【図面の簡単な説明】
【００２９】
【図１】ベッドを示す全体斜視図。                                            （ａ）ベッド状態を示す全体斜視図。                                          （ｂ）ソファー状態を示す全体斜視図。
【図２】基台フレームを示す全体斜視図。
【図３】摺動フレームを示す全体斜視図。
【図４】起伏機構の構成を示す説明図。
【図５】収納機構の構成を示す説明図。
【図６】ベッド状態における側断面図。
【図７】ベッド状態からソファー状態への変態動作時における側断面図。
【図８】ベッド状態からソファー状態への変態動作時における側断面図。
【図９】ソファー状態における側断面図。
【符号の説明】
【００３０】
１    ベッド
２    基台フレーム
３    摺動フレーム
５    腰受ボトム
６    背受ボトム
７    脚受ボトム
８    起伏機構
９    収納機構
３９  第二摺動フレーム
４０  平行リンク
４１  摺動リンク
【図１】
2005204971.tif 000003
【図２】
2005204971.tif 000004
【図３】
2005204971.tif 000005
【図４】
2005204971.tif 000006
【図５】
2005204971.tif 000007
【図６】
2005204971.tif 000008
【図７】
2005204971.tif 000009
【図８】
2005204971.tif 000010
【図９】
2005204971.tif 000011